(57)【要約】【課題】ジッパーを引き裂くための取っ掛かりである摘み部が誰にでも摘みやすくカートンを開封しやすいジッパー付きカートンの提供する。【解決手段】本発明は、板紙製のカートンの天パネルの端辺より２本の切り込みによりジッパーを設け、該ジッパーの開始端である摘み部を摘んで前記ジッパーを引き裂いてカートンの所定の領域を開封することができるようにしたジッパー付きカートンであって、前記摘み部の端辺と重なる前記ジッパー付きカートンの陵線上の一部又は全部に、前記稜線に隣接する両パネル側に弧状などの形状に膨らんだ形状の折れ線を折り込むことにより凹部を設け、前記摘み部と前記ジッパー付きカートンとの間に間隙を形成したことを特徴とするジッパー付きカートンである。【選択図】図１
2005041581.tif 000002
【特許請求の範囲】
【請求項１】
板紙製のカートンの天パネルの端辺より２本の切り込みによりジッパーを設け、該ジッパーの開始端である摘み部の端辺と重なる前記カートンの陵線上の一部又は全部に凹部を設け、前記摘み部と前記カートンとの間に間隙を形成したことを特徴とするジッパー付きカートン。
【請求項２】
前記凹部が、前記稜線に隣接する両パネル側に弧状に膨らんだ形状の折れ線を折り込むことにより形成されていることを特徴とする請求項１に記載のジッパー付きカートン。
【請求項３】
前記凹部が、前記稜線に隣接する両パネル側に三角形状に膨らんだ形状の折れ線を折り込むことにより形成されていることを特徴とする請求項１に記載のジッパー付きカートン。
【請求項４】
前記凹部が、前記稜線に隣接する両パネル側に台形状に膨らんだ形状の折れ線を折り込むことにより形成されていることを特徴とする請求項１に記載のジッパー付きカートン。
【発明の詳細な説明】
【技術分野】
【０００１】
本発明は、ジッパーによる易開封性が付与されたジッパー付きカートンに関するものである。
【背景技術】
【０００２】
従来からカートン、特にシールエンドカートンの胴部あるいは天パネルなどを所定の形状に開封しようとする場合にジッパーが多用されている。図８は、従来のジッパー付きカートンの説明図である。図８（ａ）は前パネルと天パネルをジッパーＪで、摘み部Ｔから連続して開封するジッパー付きカートンの場合で、図８（ｂ）は胴部パネルをまず平行して走るジッパーＪで摘み部Ｔから水平に引き裂いてから両側板をミシン目Ｍで切り離すことによって、後パネルのヒンジ（図示せず）によって開閉できる被せ蓋が形成されるジッパー付きカートンである。いずれのジッパーＪにおいても、ジッパーＪの先端部の摘む部分である摘み部Ｔが、指で摘みやすいように先端から切れ線ｔ、ｔが入れられて形成されている。
【発明の開示】
【発明が解決しようとする課題】
【０００３】
しかしながら、従来のジッパーにおいては、ジッパーを引き裂くために、摘み部を摘む場合、隙間がなく、爪を立てるなどして摘み部を摘まむ必要があり、一般の成人はもとより、老人、子供などにとっては、開封が難しいという問題がある。
【０００４】
本発明は、前述の問題点に鑑みてなされたもので、ジッパーを引き裂くための取っ掛かりである摘み部が誰にでも摘みやすくカートンを開封しやすいジッパー付きカートンの提供を目的とするものである。
【課題を解決するための手段】
【０００５】
前記課題を解決するためになされた本発明は、板紙製のカートンの天パネルの端辺より２本の切り込みによりジッパーを設け、該ジッパーの開始端である摘み部の端辺と重なる前記カートンの陵線上の一部又は全部に凹部を設け、前記摘み部と前記カートンとの間に間隙を形成したことを特徴とするジッパー付きカートンである。そして、前記凹部が、前記稜線に隣接する両パネル側に弧状に膨らんだ形状の折れ線を折り込むこと、三角形状に膨らんだ形状の折れ線を折り込むこと、あるいは、台形状に膨らんだ形状の折れ線を折り込むことにより形成されていることを特徴とする。
【発明の効果】
【０００６】
本発明のジッパー付きカートンによれば、ジッパーの摘み部の端辺が重なる位置のカートンの稜線の一部または全部に端辺より幅広く凹部を設けることにより、摘み部とカートンとの間に間隙が形成されるため、ジッパーを引き裂くための取っ掛かりである摘み部が誰にでも摘みやすくカートンの開封が容易にできるという効果を有するものである。
【発明を実施するための最良の形態】
【０００７】
本発明の実施の形態について、図面を用いてさらに詳しく説明する。
【０００８】
図１は、本発明によるジッパー付きカートンの第一の実施の形態の一実施例を説明する図である。図１−ａは、斜視図であり、図１−ｂはジッパーの開封部の部分拡大断面図である。本発明によるジッパー付きカートンＡでは、正面パネル１の中央部にジッパＪーを設けている。そして、その先端部には先端から切れ線ｔ、ｔを入れて摘み部Ｔを形成している。さらに、その摘み部Ｔの端辺が重なるカートンの稜線には摘み部Ｔとカートンとの間に隙間を広く取るべく凹部Ｏを形成している。
【０００９】
図２は、図１のジッパー付きカートンＡのブランクの展開図である。ブランクＡ１は、前パネル１、天パネル２、後パネル３、底パネル４、糊代パネル５を折れ線ａ、ｂ、ｃ、ｄを介して連設している。そして、天パネル２の上下辺には側パネル６、６を折れ線ｅ、ｅを介して連設し、後パネル３の上下辺には折り込み片７、７を折れ線ｆ、ｆを介して連設し、底パネル４の上下辺には側下パネル８、８を折れ線ｇ、ｇを介して連設し、糊代パネル５の上下辺には折り込み片９、９を折れ線ｈ、ｈを介して連設している。
【００１０】
本発明によるジッパー付きカートンＡには、所定のピッチで左右対称に配列したＬ字状の２本の切り込みｊ、ｊで構成された開口用のジッパーＪを前パネル１および天パネル２に渡って設けている。従って、このジッパーＪによって、摘み部Ｔを持ち上げ、前パネル１のジッパーＪを引き裂き、そして、天パネル２の開口部を綺麗に開口することができる。
【００１１】
また、折れ線ｄの略中央部には、カートンに組み立てた時に、前パネル１のジッパーＪの摘み部Ｔの端辺と重なる部分に、端辺より幅広い部分に底パネル４と糊代パネル５を折れ線ｄで直角に折り曲げた時に凹部Ｏを形成するように、折れ線ｄ４および折れ線ｄ５を底パネル４側および糊代パネル５側に弧状に膨らんだ形状で設けている。つまり、折れ線ｄ４および折れ線ｄ５は凸レンズ形状となっており、底パネル４と糊代パネル５を折れ線ｄで直角に折り曲げると同時に、折れ線ｄ４および折れ線ｄ５を折り込むことにより凹部Ｏを形成することができる。
【００１２】
なお、凹部Ｏの長さは、本実施例では、摘み部Ｔの幅より長く設けているが、指の先で摘みやすくなれば、摘み部Ｔの幅と同じ長さあるいは狭い長さとしてもよい。
【００１３】
また、凹部Ｏの形状は、ジッパーＪの端辺の重なる稜線とジッパーＪの摘み部Ｔとの間に間隙ができ、摘み部Ｔが摘み易いように陵線に凹み部を形成すればよく、本実施例で示した凸レンズ形状に折れ線を設けた形状以外にも、例えば、図３−ａに示すように菱形に折れ線を設けた形状、図３−ｂに示すように、六画形に折れ線を設けた形状、図３−ｃに示すように、長円形に折れ線を設けた形状などとすることができる。また、図３−ｄに示すように、上記折れ線形状の中央部を省略した形状とすることもできる。
【００１４】
図４は、本発明によるジッパー付きカートンの第二の実施の形態の一実施例の斜視図である。本発明によるジッパー付きカートンＢでは、正面パネル１の上部にジッパＪーを設けている。そして、その先端部は先端から切れ線ｔ、ｔを入れて摘み部Ｔを形成している。さらに、その摘み部Ｔの端辺が重なるカートンの稜線には摘み部Ｔとカートンとの間に隙間を広く取るべく凹部Ｏを形成している。
【００１５】
図５は、図４のジッパー付きカートンＢのブランクの展開図である。ブランクＢ１は、前パネル１１、側パネル１２、後パネル１３、側パネル１４、糊代片１５を折れ線ａ、ｂ、ｃ、ｄを介して連設している。そして、前パネル２の上辺には天パネル１６を折れ線ｅを介して連設し、下辺には底パネル１７を折れ線ｅを介して連設し、側パネル１２の上下辺には折り込み片１８、１９を折れ線ｆ、ｆを介して連設し、後パネル１３の上辺には天下パネル２０を折れ線ｇを介して連設し、下辺には底下パネル２１を折れ線ｇを介して連設し、側パネル１４の上下辺には折り込み片２２、２３を折れ線ｈ、ｈを介して連設している。
【００１６】
本発明によるジッパー付きカートンＢには、所定のピッチでＬ字状の２本の切り込みｊ、ｊで構成された開口用のジッパーＪを前パネル１１および糊代片１５に設けている。また、両側パネル１２、１４にはミシン目Ｍ、ＭをジッパーＪの上側の切り込みｊに連続して斜めに設けている。さらに、後パネル１３には、ミシン目Ｍ、Ｍに連続して水平に折れ線ｉを設けている。従って、摘み部Ｔを持ち上げ、前パネル１１のジッパーＪを引き裂き、両側パネル１２、１４のミシン目Ｍ、Ｍを引き裂くことによって、折れ線ｉをヒンジとして開閉可能な蓋部を形成することができる。
【００１７】
また、折れ線ｄの略中央部には、カートンに組み立てた時に、前パネル１１のジッパーＪの摘み部Ｔの端辺と重なる部分に、端辺より幅広い部分に底パネル１４と糊代パネル１５を折れ線ｄで直角に折り曲げた時に凹部Ｏを形成するように、折れ線ｄ１４および折れ線ｄ１５を底パネル１４側および糊代パネル１５側に弧状に膨らんだ形状で設けている。つまり、折れ線ｄ１４および折れ線ｄ１５は凸レンズ形状となっている。
【００１８】
さらに、前パネル１１の端辺のジッパーＪの両側に隣接する部分において、図５の部分拡大図に示すように、凹部Ｏを形成するための糊代パネル１５の折れ線ｄ１５の形状に合せて切り欠けＰを設けた形状としてもよい。この形状にすることにより、摘み部Ｔがより摘みやすくなるとともに、外観的に好ましいものとなる。
【００１９】
なお、第二の実施の形態においても、凹部ＯのジッパーＪの摘み部Ｔ対する幅は、本実施例では、凹部Ｏの幅を摘み部Ｔの幅より広く設けているが、指の先で摘みやすくなれば、同じ幅あるいは狭い幅としてもよい。
【００２０】
また、凹部Ｏの形状は、ジッパーＪの端辺が重なる稜線にジッパーＪの摘み部Ｔが摘み易いように凹み部を形成すればよく、本実施例で示した凸レンズ形状以外にも、第一の実施の形態の場合と同様に、種々の形状とすることができる。
【００２１】
図６は、本発明によるジッパー付きカートンの第三の実施の形態の一実施例の斜視図である。本発明によるジッパー付きカートンＣでは、天パネル１６の上部にジッパＪーを設けている。そして、その先端部は先端から切れ線ｔ、ｔを入れて摘み部Ｔを形成している。さらに、その摘み部Ｔの端辺が重なるカートンの稜線には摘み部Ｔとカートンとの間に隙間を広く取るべく凹部Ｏを形成している。
【００２２】
図７は、図６のジッパー付きカートンＣのブランクの展開図である。ブランクＣ１は、前パネル１１、側パネル１２、後パネル１３、側パネル１４、糊代片１５を折れ線ａ、ｂ、ｃ、ｄを介して連設している。そして、前パネル２の上辺には天パネル１６を折れ線ｅを介して連設し、下辺には底パネル１７を折れ線ｅを介して連設し、側パネル１２の上下辺には折り込み片１８、１９を折れ線ｆ、ｆを介して連設し、後パネル１３の上辺には天下パネル２０を折れ線ｇを介して連設し、下辺には底下パネル２１を折れ線ｇを介して連設し、側パネル１４の上下辺には折り込み片２２、２３を折れ線ｈ、ｈを介して連設している。
【００２３】
本発明によるジッパー付きカートンＣには、所定のピッチでＬ字状の２本の切り込みｊ、ｊで構成された開口用のジッパーＪを天パネル１６に設けている。従って、摘み部Ｔを持ち上げ、天パネル１６のジッパーＪを引き裂くことによって、天パネル１６が２分され開封することができる。
【００２４】
また、折れ線ｈの略中央部には、カートンに組み立てた時に、天パネル１６のジッパーＪの摘み部Ｔの端辺と重なる部分に、端辺より幅広い部分に側パネル１４と折り込み片２２を折れ線ｈで直角に折り曲げた時に凹部Ｏを形成するように、折れ線ｈ１４および折れ線ｈ２２を側パネル１４側および折り込み片２２側に弧状に膨らんだ形状で設けている。つまり、折れ線ｈ１４および折れ線ｈ２２は凸レンズ形状となっている。
【００２５】
なお、凹部ＯのジッパーＪの摘み部Ｔ対する幅は、本実施例では、凹部Ｏの幅を摘み部Ｔの幅より広く設けているが、指の先で摘みやすくなれば、同じ幅あるいは狭い幅としてもよい。
【００２６】
また、第三の実施の形態においても、凹部Ｏの形状は、ジッパーＪの端辺が重なる稜線にジッパーＪの摘み部Ｔが摘み易いように凹み部を形成すればよく、本実施例で示した凸レンズ形状以外にも、第一の実施の形態の場合と同様に、種々の形状とすることができる。
【図面の簡単な説明】
【００２７】
【図１】本発明によるジッパー付きカートンの第一の実施の形態の一実施例の斜視図およびジッパーの開封部の部分拡大断面図である。
【図２】図１のジッパー付きカートンのブランクの展開図である。
【図３】本発明によるジッパー付きカートンにおける凹部の他の形状例を示す部分拡大図である。
【図４】本発明によるジッパー付きカートンの第二の実施の形態の一実施例の斜視図である。
【図５】図４のジッパー付きカートンのブランクの展開図である。
【図６】本発明によるジッパー付きカートンの第三の実施の形態の一実施例の斜視図である。
【図７】図６のジッパー付きカートンのブランクの展開図である。
【図８】従来のジッパー付きカートンの斜視図である。
【符号の説明】
【００２８】
Ａ      ジッパー付きカートン（第一の実施の形態）
Ｂ      ジッパー付きカートン（第二の実施の形態）
Ｃ      ジッパー付きカートン（第三の実施の形態）
Ａ１    ブランク（第一の実施の形態）
Ｂ１    ブランク（第二の実施の形態）
Ｃ１    ブランク（第三の実施の形態）
Ｊ      ジッパー
Ｍ      ミシン目
Ｔ      摘み部
Ｏ      凹部
Ｐ      切り欠け
１      前パネル
２      天パネル
３      後パネル
４      底パネル
５      糊代パネル
６      側パネル
７      折り込み片
８      側下パネル
９      折り込み片
１１      前パネル
１２      側パネル
１３      後パネル
１４      側パネル
１５      糊代片
１６      天パネル
１７      底パネル
１８      折り込み片
１９      折り込み片
２０      天下パネル
２１      底下パネル
２２      折り込み片
２３      折り込み片
ａ〜ｉ    折れ線
ｊ      切り込み
ｔ      切れ線
【図１】
2005041581.tif 000003
【図２】
2005041581.tif 000004
【図３】
2005041581.tif 000005
【図４】
2005041581.tif 000006
【図５】
2005041581.tif 000007
【図６】
2005041581.tif 000008
【図７】
2005041581.tif 000009
【図８】
2005041581.tif 000010